(57)【特許請求の範囲】
【請求項１】
装置であって、
一次信号をダウンコンバートするように構成された一次ミキサおよび二次信号をダウンコンバートするように構成された補足ミキサを有する一次受信機、ここにおいて、前記一次ミキサおよび前記補足ミキサは、一次局部発振器（ＬＯ）信号を共有する、と、
前記二次信号をダウンコンバートするように構成された二次ミキサを有する二次受信機と、
ダイバーシティモードで動作しているときに、前記二次信号をダウンコンバートするために前記補足ミキサをイネーブルにするように構成されたコントローラと、
前記補足ミキサからの補足ベースバンド信号および前記二次ミキサからの二次ベースバンド信号を受け取るように構成された入力を有するセレクタ、ここで、前記セレクタは、前記コントローラからの選択信号に基づいてその入力のうちの１つを二次ベースバンドフィルタ（ＢＢＦ）に結合するように構成される、と、
を備える、装置。
【請求項２】
キャリアアグリゲーションモードで動作しているときに、前記コントローラは、前記二次信号をダウンコンバートするために、前記補足ミキサをディセーブルにし、前記二次ミキサをイネーブルにするように構成される、請求項１に記載の装置。
【請求項３】
単一受信機モードで動作しているときに、前記コントローラは、前記補足ミキサおよび前記二次ミキサをディセーブルにするように構成される、請求項１に記載の装置。
【請求項４】
前記ダイバーシティモードで動作しているときに、前記セレクタは、前記補足ベースバンド信号を前記二次ＢＢＦに結合するように構成される、請求項１に記載の装置。
【請求項５】
キャリアアグリゲーションモードで動作しているときに、前記セレクタは、前記二次ベースバンド信号を前記二次ＢＢＦに結合するように構成される、請求項１に記載の装置。
【請求項６】
前記一次受信機は、前記一次ミキサおよび補足ミキサに結合された共有一次周波数シンセサイザを備える、請求項１に記載の装置。
【請求項７】
装置であって、
一次信号をダウンコンバートするように構成された一次ミキサおよび二次信号をダウンコンバートするように構成された補足ミキサを有する一次受信機、ここにおいて、前記一次ミキサおよび前記補足ミキサは、一次局部発振器（ＬＯ）信号を共有する、と、
前記二次信号をダウンコンバートするように構成された二次ミキサを有する二次受信機と、
ダイバーシティモードで動作しているときに、前記二次信号をダウンコンバートするために前記補足ミキサをイネーブルにするように構成されたコントローラと、
１つまたは複数の追加のミキサを有し、１つまたは複数の追加の受信された信号をそれぞれダウンコンバートするように構成された、１つまたは複数の追加の受信機と、
前記１つまたは複数の追加の受信された信号をそれぞれダウンコンバートするように構成された１つまたは複数の追加の補足ミキサを有するようにさらに構成された前記一次受信機、ここにおいて、前記一次ミキサおよび前記１つまたは複数の追加の補足ミキサは、前記一次局部発振器（ＬＯ）信号を共有するように構成される、と、
選択された動作モードに基づいて、選択された追加の受信された信号をダウンコンバートするために、対応する選択された追加の補足ミキサをイネーブルにするようにさらに構成された前記コントローラと、
を備える、装置。
【発明の詳細な説明】
【背景技術】
【０００１】
[0001]  本願は一般に、アナログフロントエンドの動作および設計に関し、より具体的には、ダイバーシティ受信機の動作および設計に関する。
【０００２】
[0002]  従来のダイバーシティ受信機は、一次受信機および二次受信機を備える。一次受信機および二次受信機は、いくつかの動作モードのうちの１つで動作され得る。ダイバーシティモードの動作では、一次受信機の周波数シンセサイザによって生成された発振器信号は、二次受信機のミキサを駆動するために二次受信機に伝送される。そのため、一次ミキサおよび二次ミキサは両方とも、一次受信機の周波数シンセサイザによって生成された発振器信号を利用する。二次受信機への長い伝送経路を介して一次受信機の発振器信号を伝送または分配するために、かなりの電力が利用される。従って、一次発振器信号の分配に起因する電力消費の任意の増加が低減すると同時に、二次受信機によって受信された信号をダウンコンバートするために一次発振器信号を利用するメカニズムを持つことが望ましい。
【０００３】
[0003]  その結果、ダイバーシティ受信機は、ダイバーシティモードで動作しているときに、電力消費を低減させるために共有一次局部発振器（ＬＯ）信号を利用することが提供される。
【図面の簡単な説明】
【０００４】
[0004］  本明細書で説明される前述の態様は、添付図面と併せて考慮されるとき、下記の説明を参照することによって、より容易に明らかになるだろう。
【図１】[0005]  図１は、電力消費の低減のために共有一次局部発振器信号を有する新規のダイバーシティ受信機の例示的な実施形態を示す。
【図２】[0006]  図２は、電力消費の低減のために共有一次局部発振器信号を有する新規のダイバーシティ受信機の例示的な詳細な実施形態を示す。
【図３】[0007]  図３は、図２に示される例示的なダイバーシティ受信機の詳細な図を示す。
【図４】[0008]  図４は、図２に示される例示的なダイバーシティ受信で用いるコントローラの例示的な実施形態を示す。
【図５】[0009]  図５は、共有一次局部発振器信号を備えるダイバーシティ受信機を動作するための例示的な方法を示す。
【図６】[0010]  図６は、電力消費の低減のために一次発振器信号を共有する二次受信機および三次受信機を有する新規のダイバーシティ受信機の例示的な実施形態を示す。
【図７】[0011]  図７は、ダイバーシティ受信機装置の例示的な実施形態を示す。
【発明を実施するための形態】
【０００５】
[0012]  添付図面に関連して下記に記載される詳細な説明は、本発明の例示的な実施形態の説明として意図され、本発明が実施され得る唯一の実施形態を表すことを意図したものではない。本明細書の全体にわたって用いられる「例示的（exemplary）」という用語は、「例、実例、または例示を提供すること」を意味し、他の例示的な実施形態に対して、必ずしも好ましいまたは有利であると解釈されるべきではない。詳細な説明は、本発明の例示的な実施形態の完全な理解を提供する目的で、特定の詳細を含む。本発明の例示的な実施形態はこれらの特定の詳細を用いずに実施され得ることが、当業者に明らかになるだろう。いくつかの実例では、周知の構造およびデバイスが、本明細書に示される例示的な実施形態の新規性を曖昧にすることを避けるために、ブロック図形式で示される。
【０００６】
[0013]  図１は、ワイヤレスデバイスで用いる新規のダイバーシティ受信機１００の例示的な実施形態を示す。ダイバーシティ受信機１００は、一次受信信号１０６を受信するための一次受信機１０２と、二次受信信号１０８を受信するための二次受信機１０４とを備える。一次受信機１０２は、一次ダウンコンバータ１１０と、一次ＬＯＰ信号１１４を生成する一次ＬＯジェネレータ１１２とを備える。動作中に、一次ダウンコンバータ１１０は、ベースバンドプロセッサ１１８に入力される一次ベースバンド信号１１６を生成するために、一次ＬＯＰ１１４を使用して一次受信信号１０６をダウンコンバートする。
【０００７】
[0014]  二次受信機１０４は、二次ダウンコンバータ１２０と、二次ＬＯＳ信号１２４を生成する二次ＬＯジェネレータ１２２とを備える。動作中に、二次ダウンコンバータ１２０は、セレクタ１２８に入力される二次ベースバンド信号１２６を生成するために、二次ＬＯＳ信号１２４を使用して二次受信信号１０８をダウンコンバートする。
【０００８】
[0015]  一次受信機１０２はまた、補足（supplemental）ダウンコンバータ１３０を備える。補足ダウンコンバータ１３０は、二次受信信号１０８を受信し、セレクタ１２８にもまた入力される補足二次ベースバンド信号１３２を生成するために一次ＬＯＰ信号１１４を使用してこの信号をダウンコンバートする。コントローラ１３４は、ベースバンドプロセッサ１１８からモード制御信号１３６を受け取り、選択された二次ベースバンド信号１４０としてその出力に渡すためにその入力のうちの１つを選択するようにセレクタ１２８を制御する選択信号１３８を生成する。例えばセレクタ１２８は、選択信号１３８の状態に基づいて、選択された二次ベースバンド信号１４０としてその出力に二次ベースバンド信号１２６または補足二次ベースバンド信号１３２を渡し得る。
【０００９】
[0016]  ダイバーシティ受信機１００は、様々な信号が受信および処理されることを可能にするために複数の動作モードを提供する。例えば、少なくとも下記の３つの動作モードがダイバーシティ受信機１００でサポートされる。
【００１０】
１、単一受信モード−一次ＬＯＰ信号１１４を使用して一次ベースバンド信号１１６を生成するために、一次受信機１０２のみがアクティベートされる。
【００１１】
２、キャリアアグリゲーションモード−一時受信機１０２は、一次ＬＯＰ信号１１４を使用して一次ベースバンド信号１１６を生成するためにアクティベートされ、二次受信機１０４は、二次ＬＯＳ信号１２４を使用して二次ベースバンド信号１２６を生成するためにアクティベートされる。二次ベースバンド信号１２６は、選択された二次ベースバンド信号１４０としてベースバンドプロセッサ１１８へ渡される。
【００１２】
３、ダイバーシティモード−一次受信機１０２は、一次ＬＯＰ信号１１４を使用して一次ベースバンド信号１１６を生成するためにアクティベートされ、補足ダウンコンバータ１３０は、一次ＬＯＰ信号１１４を使用して補足二次ベースバンド信号１３２を生成するためにアクティベートされる。補足二次ベースバンド信号１３２は、選択された二次ベースバンド信号１４０としてベースバンドプロセッサ１１８へ渡される。
【００１３】
[0017]  ダイバーシティモード（上記のモード３）で動作しているとき、一次ＬＯＰ信号１１４は、一次ダウンコンバータ１１０と補足ダウンコンバータ１３０との間で共有される。補足ダウンコンバータ１３０は次に、ベースバンドプロセッサ１１８に入力される補足二次ベースバンド信号１３２を生成する。この構成は、二次ダウンコンバータ１２０による使用のために一次ＬＯＰ信号１１４を二次受信機１０４に送信する従来の受信機と比較すると、電力消費の低減をもたらす。そのため、新規のダイバーシティ受信機１００は、従来の受信機に対して少なくとも下記の利点を提供する。
【００１４】
１、ダイバーシティモード中に一次ＬＯＰ信号１１４を補足ダウンコンバータ１３０と共有することによる電力節約。
【００１５】
２、ダイバーシティモード中に利用されない二次受信機の選択された機能をディセーブルにすることによる電力節約。
【００１６】
３、ダイバーシティモード中に一次ＬＯＰ信号１１４の信号経路を短縮することによる改善されたノイズ特性。
【００１７】
[0018]  その結果、下記でさらに詳細に説明される様々な例示的な実施形態では、電力消費を低減し且つ特性を改善するために、従来のダイバーシティ受信機に関連付けられた問題を解決するように構成される新規のダイバーシティ受信機が、本明細書で開示される。
【００１８】
[0019]  図２は、ワイヤレスデバイスで用いる新規のダイバーシティ受信機２００の詳細な例示的な実施形態を示す。受信機２００は、一次信号２２０を受信するための一次受信機２０２および二次信号２２８を受信するための二次受信機２０４を備える。一次受信機２０２は、一次低雑音増幅器（ＬＮＡ）２０６、一次ミキサ２０８、一次ベースバンドフィルタ（ＢＢＦ）２１０、一次周波数シンセサイザ２１２、および一次分周器２１４を備える。動作中に、一次ＬＮＡ２０６は、一次受信信号２２０を受信し、一次ミキサ２０８に一次受信信号の増幅されたバージョンを提供する。一次周波数シンセサイザ２１２は、一次ミキサ２０８への入力である一次ＬＯＰ信号２１８を生成するために一次分周器２１４で使用される、一次発振器信号２１６を出力する。一次ミキサ２０８は、一次ＢＢＦ２１０に入力される一次ダウンコンバート信号を生成するために、増幅された一次受信信号をダウンコンバートする。一次ＢＢＦ２１０は、ベースバンドプロセッサなどのデバイスにおける他の回路に入力される一次ベースバンド（ＢＢ）信号２２２を生成するために、ダウンコンバートされた信号をフィルタリングする。
【００１９】
[0020]  二次受信機２０４は、二次低雑音増幅器（ＬＮＡ）２３０、二次ミキサ２３２、二次ＢＢＦ２３４、二次周波数シンセサイザ２３６、および二次分周器２３８を備える。動作中に、二次ＬＮＡ２３０は、二次受信信号２２８を受信し、二次ミキサ２３２に二次受信信号の増幅されたバージョンを提供する。二次周波数シンセサイザ２３６は、二次ミキサ２３２に入力される二次ＬＯＳ信号２４２を生成するために二次分周器２３８で使用される、二次発振器信号２４０を出力する。二次ミキサ２３２は、セレクタ２５２に入力される二次ベースバンド信号２５４を生成するために、増幅された二次受信信号をダウンコンバートする。セレクタ２５２の出力は、二次ＢＢＦ２３４に入力され、それは、ベースバンドプロセッサなどのデバイスにおける他の回路に入力される二次ＢＢ信号２４６を生成するために、ダウンコンバートされた信号をフィルタリングする。
【００２０】
[0021]  一次受信機２０２はまた、補足ミキサ２２４を備える。ダイバーシティモード（上記のモード３）で動作しているとき、補足ミキサ２２４は、増幅された二次受信信号２４４および一次ＬＯＰ信号２１８を受け取り、補足二次ベースバンド信号２２６を生成する。例えば、一次ＬＯＰ信号２１８は、一次ミキサ２０８と補足ミキサ２２４との間で共有され、そのため、一次分周器２１６が一次ミキサ２０８と補足ミキサ２２４との間で共有される。補足ミキサ２２４は、補足二次ベースバンド信号２２６を生成するために、増幅された二次受信信号２４４をダウンコンバートするのに一次ＬＯＰ信号２１８を利用する。
【００２１】
[0022]  補足二次ベースバンド信号２２６は、二次受信機２０４に位置付けられたセレクタ２５２に入力される。セレクタ２５２は、コントローラ２４８から生成された選択信号（Ｓ）に基づいて、二次ＢＢＦ２３４への入力として二次ベースバンド信号２５４または補足二次ベースバンド信号２２６のいずれかを選択する。そのため、補足ミキサ２２４の追加は、ダイバーシティモードで動作しているときに、一次ＬＯＰ信号２１８のための短い送信経路の使用を可能にし、ここで、一次ＬＯＰ信号２１８は、増幅された二次受信信号２４４をダウンコンバートするのに使用される。ＬＯＰ信号２１８を補足ミキサ２２４に提供するために使用される短い信号経路は、従来のダイバーシティモード受信機と比較すると、ダイバーシティモードでの電力消費の低減をもたらす。
【００２２】
[0023]  加えて、一次受信機２０２と二次受信機２０４との間で一次周波数分周器２１４を共有する結果として、さらなる電力節約が達成される。例えば、例示的な受信機２００では、一次分周器２１４は、共有ＬＯＰ信号２１８を出力し、その結果、二次分周器２３８および二次ミキサ２３２は、さらなる電力節約のために低電力スタンバイモードの状態にされることができる。
【００２３】
[0024]  コントローラ２４８は、ハードウェアおよび／またはハードウェア実行ソフトウェアを備え、またベースバンドプロセッサなどのデバイスにおける別のエンティティからモード制御信号２５０を受け取るように構成される。コントローラ２４８は、ダイバーシティ受信機２００の様々な機能的モジュールを制御するように構成される、選択信号（Ｓ）およびイネーブル信号（ｅｎ）を生成するためのモード制御信号２５０を使用する。例えば、第７のイネーブル信号（ｅ７）は、補足ミキサ２２４をイネーブルまたはディセーブルにする。第２のイネーブル信号（ｅ２）は、二次ミキサ２３２をイネーブルまたはディセーブルにする。第５のイネーブル信号（ｅ５）は、二次周波数シンセサイザ２３６をイネーブルまたはディセーブルにする。他のイネーブル信号の接続が図２でさらに図示される。選択信号（Ｓ）は、セレクタ２５２に接続され、ＢＢＦ２３４への入力として補足ミキサ２２４からの補足二次ベースバンド信号２２６または二次ミキサ２３２からの二次ベースバンド信号２５４のいずれかを選択するために、セレクタ２５２を制御する。
【００２４】
[0025]  動作中に、コントローラ２４８は、モード制御信号２５０に基づいてイネーブルおよびディセーブルにするためのモジュールを決定する。ディセーブルにされたモジュールは、停止されるかまたは低電力モードの状態にされるかのいずれかであり、それによって、ダイバーシティ受信機２００の電力消費を低減させる。下記のイネーブル信号（ｅｎ）および選択信号（Ｓ）の設定は、下記のモードの各々においてコントローラ２４８から出力される。
【００２５】
１、単一受信モード（一次受信機２０２のみ）
Ｓ−二次ミキサの出力２５４または補足ミキサの出力２２６のいずれかを選択するように設定される。
【００２６】
（ｅ１−ｅ７）−関連する機能をディセーブルにするように設定される。
【００２７】
２、キャリアアグリゲーションモード
Ｓ−二次ミキサの出力２５４を選択するように設定される。
【００２８】
（ｅ１−ｅ７）−関連する機能をイネーブルにするように設定される。
【００２９】
（ｅ７）−補足ミキサ２２４をディセーブルにするように設定される。
【００３０】
３、ダイバーシティモード
Ｓ−補足ミキサの出力２２６を選択するように設定される。
【００３１】
（ｅ１、ｅ４、ｅ６、ｅ７）−関連する機能をイネーブルにするように設定される。
【００３２】
（ｅ２、ｅ３、ｅ５）−関連する機能をディセーブルにするように設定される。
【００３３】
[0026]  従って、様々な例示的な実施形態では、選択された処理モードに関連付けられた電力消費の問題を解決するために、新規のダイバーシティ受信機２００が提供される。例示的な実施形態では、ダイバーシティ受信機２００は、ダイバーシティモードの動作中に利用される補足ミキサ２２４を備える。補足ミキサ２２４は、一次ＬＯＰ信号２１８を一次ミキサ２０８と共有するために一次受信機の周波数分周器２１４に近接して位置付けられる。一次分周器２１６に対する補足ミキサ２２４の近接近は、ダイバーシティモードの動作中の一次ＬＯＰ信号２１８の伝送経路を最小にする。一次ＬＯＰ信号２１８の伝送経路を短縮することによって、ダイバーシティモードの動作中に、かなりの電力節約が実現され得る。例えば、電力節約は、一次ミキサ２０８と補足ミキサ２２４との間で一次分周器２１４を共有する結果として達成される。加えて、補足ミキサ２２４の使用は、さらなる電力を節約するために二次受信機２０４における不要なモジュール（すなわち、二次分周器２３８）がパワーダウンされることを可能にする。
【００３４】
[0027]  図３は、図２に示される新規のダイバーシティ受信機２００の詳細な図３００を示す。一次周波数シンセサイザ（ＰＲｘ Ｓｙｎｔｈ）２１２の出力は、一次周波数分周器２１４に入力される一次発振器信号２１６である。一次分周器２１４の出力は、一次ミキサ２０８と補足ミキサ２２４との間で共有されるＬＯＰ信号２１８である。補足ミキサ２２４の出力２２６は、セレクタ２５２に入力される。そのため、新規のダイバーシティ受信機２００の共有ＬＯＰ信号２１８は、この信号が非常に短い信号経路を介して移動するため、従来の受信機に対して電力消費の低減を提供する。加えて、二次分周器２３８がパワーダウンされることができるように一次ミキサ２０８と補足ミキサ２２４との間で一次分周器２１４を共有する結果として、さらなる電力節約が達成される。
【００３５】
[0028]  図４は、コントローラ４００の例示的な実施形態を示す。例えば、コントローラ４００は、図２に示されるコントローラ２４８としての使用に適している。コントローラ４００は、バス４０８を介して通信するように全てが結合される、プロセッサ４０２、セレクタインターフェース４０４、およびイネーブラ４０６を備える。コントローラ４００は、単に１つの実装に過ぎず、他の実装も可能であることに留意されたい。
【００３６】
[0029]  セレクタインターフェース４０４は、コントローラ４００がセレクタ２５２の動作を制御することを可能にするために動作するハードウェアおよび／またはハードウェア実行ソフトウェアを備える。例えば、セレクタインターフェース４０４は、どの入力が二次ＢＢＦ２３４へ出力されるべきかをセレクタ２５２に指示する１つまたは複数のビットを備えるように選択信号（Ｓ）を出力する。セレクタインターフェース４０４は、バス４０８を使用してプロセッサ４０２と通信することによって制御される。
【００３７】
[0030]  イネーブラ４０６は、コントローラ４００がダイバーシティ受信機２００の選択されたモジュールをイネーブルにすることを可能にするために動作するハードウェアおよび／またはハードウェア実行ソフトウェアを備える。例えば、イネーブラ４０６は、ダイバーシティ受信機２００の機能的モジュールに対応してイネーブルまたはディセーブルにする「ｎ個」のイネーブル信号（ｅ１−ｅｎ）を出力する。イネーブラ４０６は、バス４０８を使用してプロセッサ４０２の動作によって制御される。
【００３８】
[0031]  プロセッサ４０２は、ＣＰＵ、プロセッサ、ゲートアレイ、ハードウェアロジック、メモリエレメント、および／またはハードウェア実行ソフトウェアのうちの少なくとも１つを備える。プロセッサ４０２は、本明細書で開示される機能を行うために、セレクタインターフェース４０４およびイネーブラ４０６を制御するように動作する。例えば、プロセッサ４０２は、内部メモリを備え、本明細書で開示される機能を行うために内部メモリ内に記憶されるかまたは統合される命令またはコードを実行する。
【００３９】
[0032]  例示的な実施形態では、プロセッサ４０２は、ベースバンドプロセッサまたは他のエンティティからモード制御信号２５０を受け取り、選択信号（Ｓ）およびイネーブル信号（ｅ１−ｅｎ）を生成するためにモード制御信号２５０に基づいて選択インターフェース４０４およびイネーブラ４０６を制御するように動作する。例えば、例示的な実施形態では、モード制御信号２５０は、４つの可能性のある状態のうちの１つを指示するように設定された２つのビットを備え、各状態は、動作モードに関連付けられる。例えば、第１の３つの状態（０，１，２）は、上述される３つのモードをそれぞれ指示する。第４の状態（３）は、使用されないか、また任意の所望の４番目の動作モードを指示することができる。他の例示的な実施形態では、モード制御信号は、より多くのまたはより少ない動作モードを指示するために、より多くのまたはより少ないビットを有し得る。例示的な実施形態では、モード制御信号２５０は、デバイスにおいてベースバンドプロセッサによって生成されるが、受信機２００の動作を所望の動作モードに設定することを所望するデバイスにおいて、別のコントローラまたはプロセッサによってもまた生成され得る。
【００４０】
[0033]  図５は、ダイバーシティモードにおいて共有一次ＬＯ信号経路を備えるダイバーシティ受信機を動作するための例示的な方法５００を示す。例えば、方法５００は、図５に示されるコントローラ５００に関連する、図２に示される受信機２００による使用に適している。例示的な実施形態では、プロセッサ５０２は、下記で説明される機能を実行するためにメモリ内に記憶または統合される、１つまたは複数のコードまたは命令のセットを実行する。
【００４１】
[0034]  ブロック５０２において、モード制御信号が受け取られる。例示的な実施形態では、モード制御信号２５０は、コントローラ４００のプロセッサ４０２によって受け取られる。モード制御信号２５０は、ベースバンドプロセッサのようなデバイスにおけるエンティティ受け取りれる。モード制御信号２５０は、ダイバーシティ受信機２００のために動作モードを指示する。
【００４２】
[0035]  ブロック５０４において、一次ミキサは、一次局部発振器を使用して一次受信信号をダウンコンバートするためにイネーブルにされる。例示的な実施形態では、一次ミキサ２０８は、ＬＯＰ信号２１８を使用して一次受信信号２２０をダウンコンバートする。
【００４３】
[0036]  ブロック５０６において、動作モード決定がなされる。例えば、プロセッサ４０２は、ダイバーシティ受信機２００のための動作モードを決定するようにモード制御信号２５０を処理する。第１の動作モードは、単一受信モードであり、第２の動作モードは、キャリアアグリゲーションモードであり、第３の動作モードは、ダイバーシティモードである。例示的な実施形態では、モード制御信号２５０が単一受信モードを指示する場合、方法は、ブロック５０８へと進む。モード制御信号２５０がキャリアアグリゲーションモードを指示する場合、方法は、ブロック５１２へと進み、モード制御信号２５０がダイバーシティモードを指示する場合、方法は、ブロック５１８へと進む。
【００４４】
［単一受信モード］
[0037]  ブロック５０６における決定が単一受信モードをイネーブルにするためのものである場合、方法は、ブロック５０８で継続する。ブロック５０８において、補足ミキサ２２４は、ディセーブルにされる。例示的な実施形態では、プロセッサ４０２は、補足ミキサ２２４をディセーブルにするためにｅ７のイネーブル信号を出力するようにイネーブラ４０６を制御する。
【００４５】
[0038]  ブロック５１０において、選択された二次受信機の機能は電力を節約するためにディセーブルにされる。例示的な実施形態では、プロセッサ４０２は、受信機２００の下記の機能的モジュールをディセーブルにするために下記のイネーブル（ｅｎ）信号を出力するようにイネーブラ４０６を制御する。
【００４６】
１、ｅ１は、二次ＬＮＡ２３０をディセーブルにするように設定される。
【００４７】
２、ｅ２は、二次ミキサ２３２をディセーブルにするように設定される。
【００４８】
３、ｅ３は、二次分周器２３８をディセーブルにするように設定される。
【００４９】
４、ｅ４は、二次ＢＢＦ２３４をディセーブルにするように設定される。
【００５０】
５、ｅ５は、二次周波数シンセサイザ２３６をディセーブルにするように設定される。
【００５１】
６、ｅ６は、セレクタ２５２をディセーブルにするように設定される。
【００５２】
[0039]  上記設定は、単一受信モードで動作するために一次受信機２０２のみをイネーブルにする。その後、方法５００は終了する。
【００５３】
［キャリアアグリゲーションモード］
[0040]  ブロック５０６における決定がキャリアアグリゲーションモードをイネーブルにするためのものである場合、方法は、ブロック５１２で継続する。ブロック５１２において、二次ミキサ２３２は、二次局部発振器信号ＬＯＳ２４２を使用して、増幅された二次受信信号２４４をダウンコンバートするためにイネーブルにされる。例えば、プロセッサ４０２は、受信機２００の下記の機能的モジュールをイネーブルにするために下記のイネーブル（ｅｎ）信号を出力するようにイネーブラ４０６を制御する。
【００５４】
１、ｅ１は、二次ＬＮＡ２３０をイネーブルにするように設定される。
【００５５】
２、ｅ２は、二次ミキサ２３２をイネーブルにするように設定される。
【００５６】
３、ｅ３は、二次分周器２３８をイネーブルにするように設定される。
【００５７】
４、ｅ４は、二次ＢＢＦ２３４をイネーブルにするように設定される。
【００５８】
５、ｅ５は、二次周波数シンセサイザ２３６をイネーブルにするように設定される。
【００５９】
[0041]  ブロック５１４において、セレクタ２５２は、二次ＢＢＦ２３４への入力として二次ベースバンド信号２５４を選択するように設定される。例えば、プロセッサ４０２は、二次ＢＢＦ２３４への入力として二次ベースバンド信号２５４を選択するようにセレクタ２５２を制御するための、選択信号（Ｓ）を出力するようにセレクタインターフェース４０４を制御する。プロセッサ４０２はまた、セレクタ２５２をイネーブルにするためにｅ６のイネーブル信号を出力するようにイネーブラ４０６を制御する。
【００６０】
[0042]  ブロック５１６において、補足ミキサ２２４がディセーブルにされる。例示的な実施形態では、プロセッサ４０２は、補足ミキサ２２４をディセーブルにするためにイネーブル信号ｅ７を設定するようにイネーブラ４０６を制御する。その後、方法５００は終了する。
【００６１】
［ダイバーシティモード］
[0043]  ブロック５０６における決定がダイバーシティモードをイネーブルにするためのものである場合、方法は、ブロック５１８で継続する。ブロック５１８において、補足ミキサ２２４は、一次局部発振器信号ＬＯＳ２１８を使用して、増幅された二次受信信号２４４をダウンコンバートするためにイネーブルにされる。例えば、プロセッサ４０２は、補足ミキサ２２４をイネーブルにするためにｅ７のイネーブル信号を出力するようにイネーブラ４０６を制御する。
【００６２】
[0044]  ブロック５２０において、セレクタ２５２は、二次ＢＢＦ２３４への入力として補足二次ベースバンド信号２２６を選択するように設定される。例えば、プロセッサ４０２は、二次ＢＢＦ２３４への入力として補足ダウンコンバータ２２４の出力２２６を選択するようにセレクタ２５２を制御するための、選択信号（Ｓ）を出力するようにセレクタインターフェース４０４を制御する。プロセッサ４０２はまた、セレクタ２５２をイネーブルにするためにｅ６のイネーブル信号を出力するようにイネーブラ４０６を制御する。
【００６３】
[0045]  ブロック５２２において、選択された二次受信機の機能が電力を節約するためにディセーブルにされる。例示的な実施形態では、プロセッサ４０２は、受信機２００の下記の機能的モジュールをイネーブル／ディセーブルにするために下記のイネーブル（ｅｎ）信号を出力するようにイネーブラ４０６を制御する。
【００６４】
１、ｅ１は、二次ＬＮＡ２３０をイネーブルにするように設定される。
【００６５】
２、ｅ２は、二次ミキサ２３２をディセーブルにするように設定される。
【００６６】
３、ｅ３は、二次分周器２３８をディセーブルにするように設定される。
【００６７】
４、ｅ４は、二次ＢＢＦ２３４をイネーブルにするように設定される。
【００６８】
５、ｅ５は、二次周波数シンセサイザ２３６をディセーブルにするように設定される。
【００６９】
[0046]  上記の設定は、ダイバーシティモードで動作するために一次受信機２０２および二次受信機２０４をイネーブルにする。その後、方法５００は終了する。
【００７０】
[0047]  従って、方法５００は、ダイバーシティモードで動作しているときに、一次ＬＯＰ信号２１８を共有するためにダイバーシティ受信機の動作を提供し、その結果、従来のダイバーシティ受信機と比較すると、電力を節約する。方法５００は、単に１つの実装に過ぎず、方法５００の動作は、他の実装が可能になるように、再配置されるかまたはそうでなければ修正され得ることに留意されたい。
【００７１】
[0048]  図６は、電力消費の低減のために一次発振器信号を共有する二次受信機２０２および三次受信機６０２を有する新規のダイバーシティ受信機６００の例示的な実施形態を示す。受信機６００は、図２で示されたダイバーシティ受信機２００が、一次ＬＯＰ信号２１８を共有するように構成された複数の追加の受信機を含むように、どのように拡張されることができるかを図示する。
【００７２】
[0049]  三次受信機６０２は、二次受信機２０２と同様に構成される。そのため、三次受信機６０２は、三次受信信号を受信し、ＬＮＡ６０４を使用してこの信号を増幅するように動作する。ＬＮＡ６０４は、一次受信機２０２に位置付けられた第２の補足ミキサ６１０に入力される増幅された三次受信信号ＲｘＴ６０６を出力する。第２の補足ミキサ６１０は、一次ＬＯＰ信号２１８を、一次ミキサ２０８および第１の補足ミキサ２２４と共有するように構成される。第２の補足ミキサ６１０は、増幅された三次受信信号ＲｘＴ６０６を受信し、三次ＢＢ信号（ＢＢＴ）６０８を生成するために、共有された一次ＬＯＰ信号２１８を使用してこの信号をダウンコンバートする。ＢＢＴ信号６０８は、三次セレクタ６１２に入力される。
【００７３】
[0050]  コントローラ２４８は、二次受信機２０４へセレクタ信号ＳＳを出力し、三次受信機６０２へセレクタ信号ＳＴを出力するように構成される。コントローラ２４８はまた、イネーブル信号ｅＰ、ｅＳ、およびｅＴを出力するように構成され、それは、電力消費を低減させるためにモード信号２５０の状態によって各受信機の様々な機能的モジュールをイネーブルおよびディセーブルにするために使用される。明確さのために、各受信機へのｅＰ、ｅＳ、およびｅＴ信号の接続が一般に示されるが、接続は、上記で示される先に説明された実施形態に従ったものである。
【００７４】
[0051]  動作中に、コントローラ２４８は、モード信号２５０から特定の動作モードを決定し、またこのモードに基づいて、二次受信機２０４および三次受信機６０２は、イネーブル信号および選択信号を使用してコントローラ２４８による動作のために構成される。例えば、コントローラ２４８は、選択された動作モードに従って、イネーブル信号ｅＰ、ｅＳ、およびｅＴ、並びに選択信号ＳＳおよびＳＴを出力する。例えば、例示的な実施形態では、図６で示される方法６００に関連して説明されるダイバーシティモードは、二次受信機２０４の代わりに、三次受信機６０２を利用するように修正されることができる。この構成では、二次受信機の機能的モジュールは、電力を節約するためにディセーブルにされ得る。
【００７５】
[0052]  例示的な実施形態では、受信機６００は、１つまたは複数の追加のミキサを有し、１つまたは複数の追加の受信された信号をそれぞれダウンコンバートするように構成された、１つまたは複数の受信機（すなわち、受信機６０２と同様のもの）を備える。一次受信機は、１つまたは複数の追加の受信された信号をそれぞれダウンコンバートするように構成された１つまたは複数の追加の補足ミキサ（すなわち、受信機６１０と同様のもの）を有するようにさらに構成され、一次ミキサおよび１つまたは複数の追加の補足ミキサは、一次局部発振器（ＬＯ）信号（すなわち、ＬＯＰ２１８）を共有するように構成される。コントローラはさらに、モード制御信号２５０から決定される選択された動作モードに基づいて、選択された追加の受信された信号をダウンコンバートするために、選択された追加のミキサをディセーブルにし、また対応する選択された追加の補足ミキサをイネーブルにするように構成される。
【００７６】
[0053]  そのため、図６によって図示されるように、ダイバーシティ受信機２００は、追加の受信機の任意の数を含むように拡大されることができ、これらの受信機は、電力消費を低減させるために一次ＬＯＰ２１８を共有することができる。
【００７７】
[0054]  図７は、ダイバーシティ受信装置７００の例示的な実施形態を示す。例えば、装置７００は、図２で示されるダイバーシティ受信機２００としての使用に適している。一態様では、装置７００は、本明細書で説明されるような機能を提供するように構成される１つまたは複数のモジュールで実装される。例えば、一態様では、各モジュールは、ハードウェアおよび／またはハードウェア実行ソフトウェアを備える。
【００７８】
[0055]  装置７００は、一次局部発振器を使用して一次信号をダウンコンバートするための手段（７０２）を備える第１のモジュールを備え、ここで、一次信号は一次受信機によって受信され、それは、一態様では一次ミキサ２０８を備える。
【００７９】
[0056]  装置７００はまた、補足ダウンコンバート信号を生成するために一次局部発振器を使用して二次信号をダウンコンバートするための手段（７０４）を備える第２のモジュールを備え、ここで、二次信号は二次受信機によって受信され、それは、一態様では補足ミキサ２２４を備える。
【００８０】
[0057]  装置７００はまた、二次受信機に関連付けられた二次ミキサをディセーブルにするための手段（７０６）を備える第３のモジュールを備え、それは、一態様ではコントローラ２４８を備える。
【００８１】
[0058]  当業者であれば、情報および信号は、様々な異なる技術および技法のうちのいくつかを使用して表されるかまたは処理され得ることを理解するだろう。例えば、上記の説明を通して参照され得るデータ、命令、コマンド、情報、信号、ビット、シンボル、およびチップは、電圧、電流、電磁波、磁界または磁気粒子、光学界または光学粒子、あるいはそれらの任意の組み合わせによって表わされ得る。トランジスタのタイプおよび技術は、同じ結果を達成するために、代用されるか、再配置されるか、または他の方法で修正され得ることにさらに留意されたい。例えば、ＰＭＯＳトランジスタを利用して示される回路は、ＮＭＯＳトランジスタを使用するように修正されることができ、逆もまた同様である。そのため、本明細書で開示される増幅器は、様々なトランジスタのタイプおよび技術を使用して実現されることができ、図面に例示されるこれらのトランジスタのタイプおよび技術に限定されない。例えば、ＢＪＴ、ＧａＡｓ、ＭＯＳＦＥＴなどのトランジスタのタイプ、または任意の他のトランジスタ技術が使用され得る。
【００８２】
[0059]  当業者であれば、本明細書に開示された態様に関連して説明された様々な例示的な論理ブロック、モジュール、回路、およびアルゴリズムステップは、電子ハードウェア、コンピュータソフトウェア、または両方の組み合わせとして実装され得ることをさらに理解するだろう。ハードウェアおよびソフトウェアのこの互換性を明確に例示するために、様々な例示的なコンポーネント、ブロック、モジュール、回路、およびステップが、それらの機能の観点から一般に上記に説明されている。このような機能が、ハードウェアとして実装されるか、またはソフトウェアとして実装されるかは、特定のアプリケーションおよびシステム全体に課せられた設計制約に依存する。当業者は、各特定のアプリケーションに関して、多様な方法で、説明された機能を実装することができるが、このような実装の決定は、本発明の例示的な実施形態の範囲からの逸脱を引き起こしていると解釈されるべきではない。
【００８３】
[0060]  本明細書に開示された実施形態に関連して説明されたさまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタロジック、ディスクリートハードウェアコンポーネント、あるいは本明細書で説明された機能を実行するように設計されるこれらの任意の組み合わせで、実装または実行され得る。汎用プロセッサはマイクロプロセッサであり得るが、代替としてプロセッサは任意の従来のプロセッサ、コントローラ、マイクロプロセッサ、またはステートマシンであり得る。プロセッサはまた、例えば、ＤＳＰとマイクロプロセッサの組み合わせ、複数のマイクロプロセッサ、ＤＳＰコアと連携した１つまたは複数のマイクロプロセッサ、あるいは任意の他のこのような構成である、コンピューティングデバイスの組み合わせとして実装され得る。
【００８４】
[0061]  本明細書で開示された態様に関連して説明される方法またはアルゴリズムのステップは、直接ハードウェアにおいて、プロセッサによって実行されるソフトウェアモジュールにおいて、またはこれら２つの組み合わせにおいて、具現化され得る。ソフトウェアモジュールは、ランダムアクセスメモリ（ＲＡＭ）、フラッシュメモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ（登録商標））、レジスタ、ハードディスク、リムーバルディスク、ＣＤ−ＲＯＭ、または当該技術分野において周知である任意の他の形式の記憶媒体内に存在し得る。例示的な記憶媒体は、プロセッサが記憶媒体から情報を読み取り、また記憶媒体に情報を書き込むことができるように、プロセッサに結合される。代替として、記憶媒体は、プロセッサに統合され得る。プロセッサおよび記憶媒体は、ＡＳＩＣに存在し得る。ＡＳＩＣは、ユーザ端末内に存在し得る。代替として、プロセッサおよび記憶媒体は、ユーザ端末において個別の構成要素として存在し得る。
【００８５】
[0062]  １つまたは複数の例示的な実施形態では、説明された機能は、ハードウェア、ソフトウェア、ファームウェア、またはこれらの任意の組み合わせで実装され得る。ソフトウェアで実装される場合、これらの機能は、コンピュータ読取可能媒体上で、１つまたは複数の命令またはコードとして記憶または送信され得る。コンピュータ読取可能媒体は、１つの場所から別の場所へのコンピュータプログラムの転送を容易にする任意の媒体を含む通信媒体と非一時的なコンピュータ記憶媒体との両方を含む。非一時的な記憶媒体は、コンピュータによってアクセスされ得る任意の利用可能な媒体であり得る。限定ではなく例として、このようなコンピュータ読取可能媒体は、ＲＡＭ、ＲＯＭ、ＥＥＰＲＯＭ、ＣＤ−ＲＯＭ、または他の光ディスク記憶装置、磁気ディスク記憶装置またはその他の磁気記憶デバイス、あるいは、データ構造または命令の形式で所望のプログラムコードを記憶または伝送するため利用可能であり、且つコンピュータによってアクセスされ得る、任意の他の媒体を備え得る。また、任意の接続は、厳密にはコンピュータ読取可能媒体と称され得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される際、ディスク（disk）およびディスク（disc）は、コンパクトディスク（ＣＤ）、レーザディスク（登録商標）、光ディスク、デジタル多目的ディスク（ＤＶＤ）、フロッピー（登録商標）ディスクおよびｂｌｕ−ｒａｙ（登録商標）ディスクを含み、ここで、ディスク（disks）が通常磁気的にデータを再生する一方、ディスク（discs）はレーザを用いて光学的にデータを再生する。上記の組み合わせもまた、コンピュータ読取可能媒体の範囲内に含まれるべきである。
【００８６】
[0063]  開示された例示的な実施形態の説明は、いかなる当業者であっても、本発明の製造または使用を可能にするように提供される。これらの例示的な実施形態への様々な修正は、当業者に対して容易に明らかであり、本明細書に定義された一般的な原理は、本発明の精神または範囲から逸脱することなく、他の実施形態にも適用され得る。従って、本発明は、本明細書に示される例示的な実施形態に限定されることを意図されるものではなく、本明細書に開示される原理および新規な特徴と一致する最も広い範囲を与えられるべきものである。
以下に、本願出願の当初の特許請求の範囲に記載された発明を付記する。
［Ｃ１］
装置であって、
一次信号をダウンコンバートするように構成された一次ミキサおよび二次信号をダウンコンバートするように構成された補足ミキサを有する一次受信機、ここにおいて、前記一次ミキサおよび前記補足ミキサは、一次局部発振器（ＬＯ）信号を共有する、と、
前記二次信号をダウンコンバートするように構成された二次ミキサを有する二次受信機と、
ダイバーシティモードで動作しているときに、前記二次信号をダウンコンバートするために前記補足ミキサをイネーブルにするように構成されたコントローラと、
を備える、装置。
［Ｃ２］
キャリアアグリゲーションモードで動作しているときに、前記コントローラは、前記二次信号をダウンコンバートするために、前記補足ミキサをディセーブルにし、前記二次ミキサをイネーブルにするように構成される、Ｃ１に記載の装置。
［Ｃ３］
単一受信機モードで動作しているときに、前記コントローラは、前記補足ミキサおよび前記二次ミキサをディセーブルにするように構成される、Ｃ１に記載の装置。
［Ｃ４］
前記補足ミキサからの補足ベースバンド信号および前記二次ミキサからの二次ベースバンド信号を受け取るように構成された入力を有するセレクタをさらに備え、前記セレクタは、前記コントローラからの選択信号に基づいてその入力のうちの１つを二次ベースバンドフィルタ（ＢＢＦ）に結合するように構成される、Ｃ１に記載の装置。
［Ｃ５］
前記ダイバーシティモードで動作しているときに、前記セレクタは、前記補足ベースバンド信号を前記二次ＢＢＦに結合するように構成される、Ｃ４に記載の装置。
［Ｃ６］
キャリアアグリゲーションモードで動作しているときに、前記セレクタは、前記二次ベースバンド信号を前記二次ＢＢＦに結合するように構成される、Ｃ４に記載の装置。
［Ｃ７］
前記一次受信機は、前記一次ミキサおよび補足ミキサに結合された共有一次周波数シンセサイザを備える、Ｃ１に記載の装置。
［Ｃ８］
１つまたは複数の追加のミキサを有し、１つまたは複数の追加の受信された信号をそれぞれダウンコンバートするように構成された、１つまたは複数の追加の受信機と、
前記１つまたは複数の追加の受信された信号をそれぞれダウンコンバートするように構成された１つまたは複数の追加の補足ミキサを有するようにさらに構成された前記一次受信機、ここにおいて、前記一次ミキサおよび前記１つまたは複数の追加の補足ミキサは、前記一次局部発振器（ＬＯ）信号を共有するように構成される、と、
選択された動作モードに基づいて、選択された追加の受信された信号をダウンコンバートするために、対応する選択された追加の補足ミキサをイネーブルにするようにさらに構成された前記コントローラと、
をさらに備える、Ｃ１に記載の装置。
［Ｃ９］
方法であって、
一次受信機および二次受信機のための動作モードを指示するモードインジケータを受け取ることと、
前記一次受信機の一次局部発振器を使用して一次信号をダウンコンバートすることと、
前記モードインジケータがダイバーシティモードを指示する場合、前記一次局部発振器を使用して、前記二次受信機によって受信された二次信号をダウンコンバートするために補足ミキサをイネーブルにすることと
を備える、方法。
［Ｃ１０］
前記モードインジケータが前記ダイバーシティモードを指示する場合、前記二次受信機に関連付けられた二次ベースバンドフィルタ（ＢＢＦ）に入力されるべき前記補足ミキサの出力を選択することをさらに備える、Ｃ９に記載の方法。
［Ｃ１１］
前記モードインジケータがダイバーシティモードを指示する場合、前記二次受信機に関連付けられた二次分周器をディセーブルにすることをさらに備える、Ｃ９に記載の方法。
［Ｃ１２］
前記モードインジケータがダイバーシティモードを指示する場合、前記二次受信機に関連付けられた二次周波数シンセサイザをディセーブルにすることをさらに備える、Ｃ９に記載の方法。
［Ｃ１３］
前記モードインジケータがキャリアアグリゲーションモードを指示する場合、
二次局部発振器を使用して前記二次信号をダウンコンバートするために二次ミキサをイネーブルにし、
前記補足ミキサをディセーブルにする、
動作を行う、Ｃ９に記載の方法。
［Ｃ１４］
前記モードインジケータが前記キャリアアグリゲーションモードを指示する場合、二次ベースバンドフィルタ（ＢＢＦ）に入力されるべき二次ミキサの出力を選択することをさらに備える、Ｃ１３に記載の方法。
［Ｃ１５］
前記モードインジケータが単一受信機モードを指示する場合、
前記補足ミキサをディセーブルにし、
二次ミキサをディセーブルにする、
動作を行う、Ｃ９に記載の方法。
［Ｃ１６］
装置であって、
一次局部発振器を使用して一次信号をダウンコンバートするための手段と、ここで、前記一次信号は、一次受信機によって受信される、
補足ダウンコンバート信号を生成するために前記一次局部発振器を使用して二次信号をダウンコンバートするための手段と、ここで、前記二次信号は、二次受信機によって受信される、
前記二次受信機に関連付けられた二次ミキサをディセーブルにするための手段と、
を備える、装置。
［Ｃ１７］
前記二次受信機に関連付けられた二次ベースバンドフィルタ（ＢＢＦ）に入力されるべき前記補足ダウンコンバート信号を選択するための手段をさらに備える、Ｃ１６に記載の装置。
［Ｃ１８］
前記二次受信機に関連付けられた二次周波数分周器をディセーブルにするための手段をさらに備える、Ｃ１６に記載の装置。
［Ｃ１９］
前記二次受信機に関連付けられた二次周波数シンセサイザをディセーブルにするための手段をさらに備える、Ｃ１６に記載の装置。
【図１】
0005934450.tif 000002
【図２】
0005934450.tif 000003
【図３】
0005934450.tif 000004
【図４】
0005934450.tif 000005
【図５】
0005934450.tif 000006
【図６】
0005934450.tif 000007
【図７】
0005934450.tif 000008